(57)【要約】【課題】信号電圧を相対的高さに基づいて解釈する方法を提供すること。【解決手段】本発明のシステムは、色又は信号高さを超えたその他の二次的機構に絶対的に基づいて信号電圧レベルを解釈する能力を維持しながら、医師が信号の詳細を検査することを可能にするために信号の相対的高さを変更することを可能にする。開示されるシステム及び方法は、信号の色に基づくより高速でより正確な分析を提供する。信号の高さは、信号の詳細の観察、表示、又は検査などのために、ディスプレイの色を変更せずに変更することができる。信号のカラースケールは、表示される高さに関係なく信号の絶対スケーリングを提供する。【選択図】図１
2019130311.tif 000002
【特許請求の範囲】
【請求項１】
心電計（ＥＣＧ）装置における複数の測定信号の表示方法であって、
前記複数の信号を監視することと、
ディスプレイ上に信号を表示することであって、前記信号は前記監視された信号の少なくともサブセットである、ことと、
第１の電圧表示レベルを制御して少なくとも１つの表示された測定信号の表示を提供することであって、前記少なくとも１つの表示された測定信号は、前記少なくとも１つの表示された測定信号の詳細を検査するために設計された高さを備える、ことと、
表示された前記複数の信号全体に対して第２のスケールを提供することであって、前記第２のスケールは前記第１の電圧表示レベルに依存しない、ことと、を含む、方法。
【請求項２】
前記第２のスケールは色で提供される、請求項１に記載の方法。
【請求項３】
前記第１の電圧表示レベルは、前記測定信号のうちの少なくとも１つのために変更される、請求項１に記載の方法。
【請求項４】
前記第１の電圧表示レベルの変更は前記第２のスケールに影響を与えない、請求項１に記載の方法。
【請求項５】
前記第１の電圧表示レベルの変更は前記信号の詳細の検査を可能にする、請求項１に記載の方法。
【請求項６】
前記第２のスケールは、信号電圧レベルの絶対的な解釈を可能にする、請求項１に記載の方法。
【請求項７】
前記第２のスケールは色に基づく、請求項６に記載の方法。
【請求項８】
前記第２のスケールは二次的機構に基づく、請求項６に記載の方法。
【請求項９】
心電計（ＥＣＧ）における複数の測定信号のためのディスプレイであって、前記ディスプレイは、
第１の電圧表示レベルを制御して、前記複数の表示された測定信号の少なくとも１つの表示を提供することによって、前記複数の測定信号を前記ＥＣＧのディスプレイ上に表示することであって、前記複数の表示された測定信号の前記少なくとも１つは前記複数の表示された測定信号の前記少なくとも１つの詳細を検査するために設計された高さを備える、ことと、前記第１の電圧表示レベルに依存せずに、前記複数の表示された測定信号全体に対して第２のスケールを提供することと、を含む、ディスプレイ。
【請求項１０】
前記第２のスケールは色で提供される、請求項９に記載のディスプレイ。
【請求項１１】
前記第１の電圧表示レベルは、前記測定信号のうちの少なくとも１つに対して変更される、請求項９に記載のディスプレイ。
【請求項１２】
前記第１の電圧表示レベルの変更は前記第２のスケールに影響を与えない、請求項９に記載のディスプレイ。
【請求項１３】
前記第１の電圧表示レベルの変更は前記信号の詳細の検査を可能にする、請求項９に記載のディスプレイ。
【請求項１４】
前記第２のスケールは、信号電圧レベルの絶対的な解釈を可能にする、請求項９に記載のディスプレイ。
【請求項１５】
前記第２のスケールは色に基づく、請求項１４に記載のディスプレイ。
【請求項１６】
前記第２のスケールは二次的機構に基づく、請求項１４に記載のディスプレイ。
【請求項１７】
対象の信号を測定するための装置であって、
前記装置内で少なくとも１つの信号を監視するための信号モニタと、
ディスプレイ上に信号を表示するためのディスプレイであって、前記信号は前記監視された信号の少なくともサブセットである、ディスプレイと、
第１の電圧表示レベルを制御して、少なくとも１つの表示された測定信号の表示を提供することであって、前記少なくとも１つの表示された測定信号は、前記測定信号の詳細を検査するために設計された高さを備える、ことと、
前記第１の電圧表示レベルに依存せずに、表示された前記信号全体に対する第２のスケールを提供することと、を含む、装置。
【請求項１８】
前記第１の電圧表示レベルの変更は前記第２のスケールに影響を与えない、請求項１７に記載の装置。
【請求項１９】
前記第２のスケールは、信号電圧レベルの絶対的な解釈を可能にする、請求項１７に記載の装置。
【請求項２０】
前記第２のスケールは色に基づく、請求項１９に記載の装置。
【発明の詳細な説明】
【技術分野】
【０００１】
本発明は、解釈のための信号の提示に関し、より詳細には、医療従事者による解釈のための信号の提示に関する。
【背景技術】
【０００２】
医療従事者は、臓器、組織、又は他の生物学的構造のモルホロジーを理解するために、信号電圧レベルの解釈にしばしば依存する。医療従事者は、相対的高さに基づいて信号電圧を解釈する。現在、各信号電圧はその他の信号電圧に依存せずに変更され得る。その結果、医療従事者はモルホロジーを解釈するために信号の高さに依存することができない。
【発明の概要】
【発明が解決しようとする課題】
【０００３】
このため、信号電圧を相対的高さに基づいて解釈する方法を医師に提供する必要性が存在する。
【課題を解決するための手段】
【０００４】
本発明のシステムは、色又は信号高さを超えたその他の二次的機構に絶対的に基づいて信号電圧レベルを解釈する能力を維持しながら、医師が信号の詳細を検査することを可能にするために信号の相対的高さを変更することを可能にする。開示されるシステム及び方法は、信号の色に基づくより高速でより正確な分析を提供する。信号の高さは、信号の詳細の観察、表示、又は検査などのために、ディスプレイの色を変更せずに変更することができる。信号のカラースケールは、表示される高さに関係なく信号の絶対スケーリングを提供する。
【０００５】
装置のための測定信号を表示するためのシステム及び方法が開示される。このシステム及び方法は、装置内で信号を監視することと、ディスプレイ上に信号を表示することであって、この信号は監視された信号の少なくともサブセットである、ことと、第１の電圧表示レベルを制御して少なくとも１つの表示された測定信号の表示を提供することとであって、少なくとも１つの表示された測定信号は、測定信号の詳細を検査するために設計された高さを備える、ことと、表示された信号全体に対する第２のスケールを提供することであって、第２のスケールは第１の電圧表示レベルに依存しない、ことと、を含む。
【図面の簡単な説明】
【０００６】
本特許又は出願書類は、少なくとも１枚のカラー印刷図面を収容している。カラー図面を備える、本特許又は特許出願公開の複製は、要請があれば、必要な手数料を支払うことにより、特許庁によって提供されるであろう。
【０００７】
より詳細な理解は、添付の図面と併せて実例として示される下記の説明文より得ることができる。
【図１】本明細書に記載のシステムと関連して使用されてもよく、又はそのシステムにフィードバックを提供してもよい装置のブロック図を示す。
【図２】図２の装置の信号電圧のいくつかのプロットを示す。
【図３】図１の装置のディスプレイ画面を示す。
【図４】図１の装置に対する表示方法を示す。
【発明を実施するための形態】
【０００８】
以下の説明では、本実施形態の一貫した理解を提供するために、特定の構造、コンポーネント、材料、寸法、処理工程、及び技術などの多数の具体的な詳細が設定される。しかしながら、これら実施形態がこれらの具体的な詳細を伴わずに実施され得ることが、当業者には理解されよう。他の場合において、実施形態が不明瞭になるのを避けるために、周知の構造又は処理工程は詳細には説明されていない。層、領域、又は基材などのある要素が他の要素の「上」又は「上方」にあるといわれるとき、他の要素の上に直接存在し得るか、又は介在する要素も存在し得ることが理解されよう。対照的に、ある要素が他の要素に対して「上に直接」又は「直接に」あるといわれるとき、介在する要素は存在しない。更に、ある要素が他の要素の「下」、「下位」、又は「下方」にあるといわれるとき、他の要素の下若しくは下方に直接存在し得るか、又は介在する要素が存在し得ることが理解されよう。対照的に、ある要素が他の要素に対して「下に直接」又は「直接に」あるといわれるとき、介在する要素は存在しない。
【０００９】
下記の発明を実施するための形態において実施形態の提示を曖昧にしないために、当該技術分野で周知の一部の構造、コンポーネント、材料、寸法、処理工程、及び技法が、提示及び説明目的のために組み合わせられていることがあり、場合によってはこれらは詳細に記述されていない場合がある。他の例においては、当該技術分野で周知される一部の構造、コンポーネント、材料、寸法、処理工程、及び技法が全く記述されていない場合がある。以下の記述は、本明細書に記載された様々な実施形態の特有の特徴又は要素に焦点を合わせていることが理解されよう。
【００１０】
心臓電気生理学は、心臓の電気的活動を解明、診断、及び治療する科学である。この領域で使用される医療システムの１つにＣＡＲＴＯシステムがある。特定の手技では、心臓電気生理学を用いて、望ましくない拍動の発生源となっているか又は望ましくない信号を伝導する心臓の周囲の組織を焼灼（アブレーション）することによって不整脈を治療することができる。治療後、アブレーションは組織の変性をもたらし、組織が望ましくない信号又は拍動を伝導することを妨げる。
【００１１】
本明細書でＥＣＧと呼ばれ、ＥＫＧと呼ばれる場合もある心電図検査は、皮膚上に配置された電極を使用して所定時間にわたった心臓の電気的活動を、又は特殊なカテーテルを使用して心臓内部の電気的活動（すなわち心内ＥＣＧ）を記録するプロセスである。これらの電極は、各心拍の間の心筋の脱分極の電気生理理学的パターンから生じるわずかな電気的変化を検出する。ＥＣＧは、心臓検査で一般的又は日常的に行われている。検査で使用される機器は心電計であり、初期出力は心電図である。説明を簡単にする目的で、心電図検査、心電計、及び心電図を、本明細書ではいずれもＥＣＧと呼び、ＥＫＧと呼ぶ場合もある。
【００１２】
心内電位図（ＩＣＥＧ）は、何本かの心臓内リード線が追加された（すなわち、心臓内に）ＥＣＧである。このようなＩＣＥＧを、従来の１２誘導ＥＣＧと組み合わせて、又はこれに代わるものとして用いることができる。従来の１２誘導ＥＣＧでは、患者の四肢及び胸部の表面に１０個の電極が配置される。次に、心臓の電位の全体の大きさが１２個の異なる角度（「誘導」）から測定され、所定時間にわたって記録される。この手技の時間の長さは数十分〜数時間で異なり得る。各手技では、通常、数十回のアブレーションセッションが行われ、そのそれぞれは例えば、数秒間〜約１分持続し得る。例として、従来の１２誘導ＥＣＧは例えば１０秒間といった所定の時間にわたって行うことができる。このようにして、心臓の電気的脱分極の全体の大きさ及び方向が心周期の全体を通じた各瞬間に捕捉される。この医療手技によって得られる時間に対する電圧のグラフは心電図と呼ばれる。
【００１３】
各心拍の間、健康な心臓は通常の規律正しい脱分極の進行過程を経る。この通常の脱分極のパターンは、特徴的なＥＣＧトレーシングを生じる。訓練された医師には、ＥＣＧは、心臓の構造及びその電気的伝導システムの機能についての大量の情報を伝えるものである。とりわけ、ＥＣＧは、心拍の速度及びリズム、心腔の大きさ及び位置、心臓の筋細胞又は伝導システムの損傷の存在、心臓病の薬剤の作用、並びに移植されたペースメーカーの機能を測定するために使用することができる。ＥＣＧの解釈は、基本的には心臓の電気的伝導システムを理解することに関する。通常の伝導は、予測可能なパターンで開始及び伝播し、このパターンからの逸脱は通常の変動であるか又は病気によるものであり得る。
【００１４】
上記で述べたように、心臓電気生理学は、数ある技法の中でもとりわけＥＣＧを用いて心臓の電気的活動を診断及び治療する分野である。この用語は通常、自然活動の侵襲性（心内）カテーテル記録によるこうした現象の検討、及びプログラムされた電気的刺激（ＰＥＳ）に対する心応答の検討を記述するために用いられる。これらの検討は、複雑な不整脈を評価し、症状を解明し、異常な心電図を評価し、将来的に不整脈を発症するリスクを評価し、治療を設計するために行われる。治療法としてはアブレーションが挙げられる。アブレーションとは、一般的に、通常は手術により収縮パターンを変化させることなどを目的として、生物学的組織を除去、死滅、又は瘢痕化させることを指し、低侵襲性手技によって身体の内部から異常組織を焼灼する方法を含み得る。心臓電気生理学的手技では、３５０〜５００ｋＨｚの範囲の高周波の交流電流から発生する熱を用いて機能不全組織を焼灼することができる。アブレーション手順の一部として、組織のアブレーションに用いられるアブレーション電極の温度が最大又は標的温度と比較して監視されてもよく、また一旦その温度に到達したら、電源が多電極システム内の他の電極に切り換えられてもよい。
【００１５】
図１は、本明細書に記載のシステムと関連して使用されてもよく、又はそのシステムにフィードバックを提供してもよい装置１００のブロック図を示す。装置１００はＥＣＧの形態とすることができる。装置１００は、単一の多重化入力１１５にまとめられた複数のリード線１１０を有している。複数のリード線１１０は、ヒト被験者１０５の体表に配置することができる。複数のリード線１１０に含まれてもよく、又は（図に示されるように）これとは別とすることができる更なるリード線１０７を、心臓内リード線１０７とすることができる。
【００１６】
心臓内リード線１０７は、患者１０５の心臓１２６内の電位をマッピングするためなど、診断又は治療処置に使用することができる。また、心臓内リード線１０７は、必要な変更を加えて心臓又は他の体内の臓器において他の治療及び／又は診断目的で使用することもできる。
【００１７】
心臓内リード線１０７は、心臓内リード線１０７の遠位端１３２が患者の心臓１２６の心腔内に入るように患者１０５の脈管系内に挿入されてもよい。図１は単一の位置センサを有する単一のリード線１０７を示しているが、本発明の実施形態は、複数の位置センサを有するプローブを利用してもよい。
【００１８】
複数のリード線１１０からの信号は、入力マルチプレクサ１２０を介してアナログフロントエンド１２５に入力される。アナログフロントエンド１２５は、プロセッサ１３０につながっており、プロセッサ１３０によって制御される。図に示されるように、プロセッサ１３０は、ビデオコントローラ１３５、デジタル信号プロセッサ１４０、マイクロプロセッサ１４５、及びマイクロコントローラ１５０を含むことができる。プロセッサ１３０は、データ格納部１５５に接続されている。データポート及びプリンタ１６０をプロセッサ１３０に接続することができる。他の入力／出力装置１６５もプロセッサ１３０に接続することができる。ディスプレイ１７０を用いてＥＣＧの信号の出力を与えることができる。装置１００が動作するための電力を供給するために、電力／電池管理システム１７５を備えていてもよい。
【００１９】
複数のリード線１１０は、一般的に使用されている形態の電極及び一般的に使用されている形態のリード線の両方を含む。複数のリード線１１０のうちの１つ以上がアブレーション電極を含んでもよく、その詳細は本明細書でより詳細に説明する。複数のリード線１１０は、心電計と電気回路を形成する身体１０５と接触した導電性パッドを有することができる。標準的な１２リード線ＥＣＧでは、リード線１１０は１０本のみである。複数のリード線１１０は、四肢、増高肢、及び前胸部の３群に分類され得る。一般に、１２誘導ＥＣＧは、冠状面（垂直面）内で車輪のスポークのように配置された合計３つの肢誘導及び３つの増高肢誘導、並びに垂直な横断面（水平面）上にある６個の胸部誘導を有する。
【００２０】
アナログフロントエンド１２５は、複数のリード線１１０からの信号を受信し、信号のフィルタリングなどのアナログ処理を行う。
【００２１】
データ格納部１５５は情報を記録する任意の装置である。データ格納部は、装置１００に含まれる信号の記憶媒体及び格納されるプロセッサ１３０の計算用の場所を与え得る。
【００２２】
マイクロプロセッサ１４５は、コンピュータの中央演算装置（ＣＰＵ）の機能を１個の集積回路（ＩＣ）又は数個の集積回路上に組み込んだコンピュータプロセッサとすることができる。マイクロプロセッサ１４５は、汎用型のクロック駆動式レジスタベースのプログラム可能な電子装置とすることができ、デジタル又はバイナリデータを入力として受信し、これをメモリ又はデータ格納部１５５に格納された命令に従って処理し、結果を出力として与える。マイクロプロセッサ１４５は、組み合わせ論理及び順序デジタル論理の両方を含んでいる。
【００２３】
マイクロコントローラ１５０は、１個の集積回路上の１つ以上の小型コンピュータとすることができる。マイクロコントローラ１６０は、１以上のＣＰＵとともにメモリ及びプログラム可能な入力／出力周辺機器を有することができる。強誘電性のＲＡＭ、ＮＯＲフラッシュ、又はＯＴＰ  ＲＯＭの形態のプログラムメモリ、及び少量のＲＡＭもチップ上にしばしば含まれる。マイクロコントローラは、パーソナルコンピュータ又は異なる個別のチップで構成された他の汎用用途で使用されるマイクロプロセッサと異なり、組み込み型用途に合わせた設計を有する。
【００２４】
デジタル信号プロセッサ（ＤＳＰ）１４０は、デジタル信号処理を行って様々な信号処理動作を実行することができる。このようにして処理された信号は、時間、空間、又は周波数などのドメイン内の連続変数のサンプルを表す一連の数値である。デジタル信号処理は、線形又は非線形演算を含み得る。非線形信号処理は、非線形システム識別と密接に関連しており、時間、周波数、及び時空間ドメイン内で実行することができる。デジタルコンピューテーションの信号処理への応用は、送信のエラー検出及び補正、並びにデータ圧縮などの多くの用途でアナログ処理と比較して多くの利点を与えるものである。ＤＳＰは、ストリーミングデータ及びスタティック（格納）データの両方に適用することができる。
【００２５】
医療従事者は、臓器、組織、又は他の生物学的構造のモルホロジーを理解するために、信号電圧レベルの解釈にしばしば依存する。医療従事者は、相対的高さに基づいて信号電圧を解釈する。現在、各信号電圧はその他の信号電圧に依存せずに変更され得る。信号を検査するため、又は例えば信号の倍率を拡大すると可視となる所望の特徴を観察するために、信号の高さを信号によって変化させる場合がしばしばある。その結果、医療従事者は異なる信号にわたるモルホロジーを解釈するために信号の高さに依存することができない。
【００２６】
臓器及び組織モルホロジーの信号電圧レベルの解釈は、信号電圧の相対的高さに基づいた場合はしばしば不正確である。本発明のシステムは、色又は信号高さを超えたその他の二次的機構に絶対的に基づいて信号電圧レベルを解釈する能力を維持しながら、医師が信号の詳細を検査することを可能にするために信号の相対的高さを変更することを可能にする。開示されるシステム及び方法は、信号の色に基づくより高速でより正確な分析を提供する。信号の高さは、信号の詳細の観察、表示、又は検査などのためにディスプレイの色を変更せずに変更することができる。信号のカラースケールは、表示される高さに関係なく信号の絶対スケーリングを提供する。
【００２７】
ここで図２を参照すると、図１のディスプレイ１７０上に提示され得る信号電圧のいくつかのプロット２００が示されている。第１のプロット２１０は、Ｍ１〜Ｍ２にわたる信号電圧を示す。第２のプロット２２０は、Ｒ１〜Ｒ２にわたる信号電圧を示す。第３のプロット２３０は、信号電圧Ｖ３を示す。プロット２００に描かれた特定の信号は例示的なものであるが、ＲＡ（右腕）、ＬＡ（左腕）、ＲＬ（右脚）、ＬＬ（左脚）、Ｖ１（第４肋間腔）、Ｖ２（第４肋間腔）、Ｖ３（誘導Ｖ２とＶ４との間）、Ｖ４（第５肋間腔）、Ｖ５（左前腋窩線）、及びＶ６（腋窩中線）を含むＥＣＧ内の電極のいずれが描かれてもよい。信号の指示２４０が各プロット２００に隣接して設けられる。
【００２８】
図示されるように、ｙ軸にプロットされた電圧レベルは、信号の特定の態様をハイライトしてディスプレイ上で閲覧可能にするために変化し得る。これはスケール変化２６０にアクセスすることにより変更され得る。こうした変更により、ＰＱＲＳＴ信号特性２１２などの信号特性を高い可視性で検査することが可能となり得る。例えば、心房の脱分極はｐ波で検査してもよく、心室の充填はＰＲ間隔、ＱＲＳ群、及び心室の脱分極で、心室再分極の開始はＳＴ部分及びＴ波心室再分極で検査してもよい。
【００２９】
プロット毎のレベルで調整可能なｙ軸の高さの電圧レベルプロットに加えて、本発明のシステムは、医師が色などの追加的なスケールに基づいて信号電圧を解析するのを可能にする全体値を示すための追加のスケール２５０を更に含む。信号の高さは、例えばＰＱＲＳＴなどの特徴の特定の観察を可能にするために様々な設定することができるため、こうしたスケールは、追加のスケールを用いた信号間の比較を可能にすることができる。このスケール２５０によって、分析をより速くかつより正確に行うことが可能となる。スケール２５０は、例えば特定のプロット２１０、２２０、２３０間の比較を可能とし、またこれは電圧レベルｙ軸の構成に依存しない。つまり、スケール２５０はスケール変化２６０の影響を受けない。
【００３０】
医師又は他のユーザが、その好みに合わせてスケール２５０の関連閾値を定義してもよい。具体的には、システムは信号強度を色で示して、信号上の色を置き換えることができる。各信号２１０、２２０、２３０は、信号の各セグメントの信号強度を示す色にセグメント分けすることができる。信号の高さは、対応する信号の特徴の一部を観察するため、信号のうちのいくつかの信号高さの変更に対して変化させることができ、表示される色スキーム及び信号の色はより絶対的であり変化しない。これは医師及び他の従事者に、信号を分析し、色によって信号間の比較を行うためのより良好かつ高速な方法を提供する。
【００３１】
スケール２５０を提供する際は、グレイスケール、他の単一カラーシェードスケール、マルチカラースケールなどが挙げられるがこれらに限定されない任意の数のスケーリングシステムを用いてよい。スケール２５０を提供する際は、正及び負の着色を対称的となるように設計してもよく、色はゼロから外向きに変化する。色は、強度が増すとより明らか／鮮やか／明るくなるように提供することができる。その他の変更によって、ユーザは、色（色相）を変化させたいのか、又は単にその輝度若しくは彩度を変化させたいのかを決定することが可能となり得、また、しばしば輝度／彩度の差を見る場合のある色覚異常のユーザであったとしても、信号の分析をより効率的に行うことが可能となり得る。
【００３２】
図３は、本発明のディスプレイ画面３００を示す。第１のプロット３１０は、Ｍ１〜Ｍ２にわたる信号電圧を示す。第２のプロット３２０は、Ｒ１〜Ｒ２にわたる信号電圧を示す。本発明では他のプロットも想到されており、２つのプロット３１０、３２０は例示に過ぎない。図示されるように、ｙ軸にプロットされた電圧レベルは、プロット若しくは特定の態様をハイライトする、又は他の方法でこれらをディスプレイ上で可視化するために変化し得る。スケールはスケール変化３６０にアクセスすることにより変更され得る。こうした変化により、ＰＱＲＳＴ信号特性３１２などの信号特性が可能となり得る。
【００３３】
プロットレベル毎に調整可能なｙ軸の高さの電圧レベルプロットに加えて、本発明のシステムは、信号レベルの全体値を示すための追加のスケール３５０を更に含む。スケール３５０は、例えば特定のプロット３１０、３２０間の比較を可能とし、また、これはｙ軸構成の電圧レベルに依存しない。
【００３４】
スケール３７０は、マップに関連付けられた別のカラースケールを表す。このスケール３７０は、スケール３５０とは異なる目的のために提供することができる。スケール３７０は、ＬＡＴ値に対するスケールを提供する。更に、スケール３７０は、ディスプレイ３８０の一部を情報に提供する。心臓の房室壁の三次元描写が表示され、ＥＣＧ測定値に関連付けられる。この３Ｄ描写は、この時点で心腔内にあるカテーテルの表現を含む。この３Ｄ描写は、マッピングされた心腔の画像を提供する。この描写は、例えばプロット３１０、３２０のコンテキストを提供する。
【００３５】
図４は、図１の装置に関する表示方法４００を示す。方法４００は、工程４１０で、装置内で信号を監視する工程を含む。工程４２０では、方法４００は、装置を介して得られた信号をディスプレイに表示することを含む。工程４３０では、方法４００は、第１の電圧表示レベルを制御して、測定信号の詳細を検査するために設計された高さを備える少なくとも１つの測定信号の表示を提供することを含む。方法４００は、工程４４０で、第１の電圧表示レベルに依存せずに、ディスプレイ全体に対して第２のスケールを提供することを含む。
【００３６】
特徴及び要素が特定の組み合わせで上に記載されるが、当業者であれば、特徴又は要素の各々を単独で又は他の特徴及び要素と組み合わせて、又は組み合わせることなしに、使用できることを理解するであろう。加えて、本明細書に記載される方法は、コンピュータ又はプロセッサで実行するために、コンピュータ可読媒体に組み込まれるコンピュータプログラム、ソフトウェア、又はファームウェアにおいて実装されてもよい。コンピュータ可読媒体の例には、電子信号（有線又は無線接続を介して送信される）及びコンピュータ可読記憶媒体が挙げられる。コンピュータ可読記憶媒体の例には、読み取り専用メモリ（read only memory、ＲＯＭ）、ランダムアクセスメモリ（random access memory、ＲＡＭ）、レジスタ、キャッシュメモリ、半導体メモリ装置、磁気媒体、例えば内蔵ハードディスク及びリムーバブルディスク、磁気光学媒体、並びに光学媒体、例えば、ＣＤ−ＲＯＭディスク及びデジタル多用途ディスク（digital versatile disk、ＤＶＤ）が挙げられるが、これらに限定されない。
【００３７】
〔実施の態様〕
（１）  心電計（ＥＣＧ）装置における複数の測定信号の表示方法であって、
前記複数の信号を監視することと、
ディスプレイ上に信号を表示することであって、前記信号は前記監視された信号の少なくともサブセットである、ことと、
第１の電圧表示レベルを制御して少なくとも１つの表示された測定信号の表示を提供することであって、前記少なくとも１つの表示された測定信号は、前記少なくとも１つの表示された測定信号の詳細を検査するために設計された高さを備える、ことと、
表示された前記複数の信号全体に対して第２のスケールを提供することであって、前記第２のスケールは前記第１の電圧表示レベルに依存しない、ことと、を含む、方法。
（２）  前記第２のスケールは色で提供される、実施態様１に記載の方法。
（３）  前記第１の電圧表示レベルは、前記測定信号のうちの少なくとも１つのために変更される、実施態様１に記載の方法。
（４）  前記第１の電圧表示レベルの変更は前記第２のスケールに影響を与えない、実施態様１に記載の方法。
（５）  前記第１の電圧表示レベルの変更は前記信号の詳細の検査を可能にする、実施態様１に記載の方法。
【００３８】
（６）  前記第２のスケールは、信号電圧レベルの絶対的な解釈を可能にする、実施態様１に記載の方法。
（７）  前記第２のスケールは色に基づく、実施態様６に記載の方法。
（８）  前記第２のスケールは二次的機構に基づく、実施態様６に記載の方法。
（９）  心電計（ＥＣＧ）における複数の測定信号のためのディスプレイであって、前記ディスプレイは、
第１の電圧表示レベルを制御して、前記複数の表示された測定信号の少なくとも１つの表示を提供することによって、前記複数の測定信号を前記ＥＣＧのディスプレイ上に表示することであって、前記複数の表示された測定信号の前記少なくとも１つは前記複数の表示された測定信号の前記少なくとも１つの詳細を検査するために設計された高さを備える、ことと、前記第１の電圧表示レベルに依存せずに、前記複数の表示された測定信号全体に対して第２のスケールを提供することと、を含む、ディスプレイ。
（１０）  前記第２のスケールは色で提供される、実施態様９に記載のディスプレイ。
【００３９】
（１１）  前記第１の電圧表示レベルは、前記測定信号のうちの少なくとも１つに対して変更される、実施態様９に記載のディスプレイ。
（１２）  前記第１の電圧表示レベルの変更は前記第２のスケールに影響を与えない、実施態様９に記載のディスプレイ。
（１３）  前記第１の電圧表示レベルの変更は前記信号の詳細の検査を可能にする、実施態様９に記載のディスプレイ。
（１４）  前記第２のスケールは、信号電圧レベルの絶対的な解釈を可能にする、実施態様９に記載のディスプレイ。
（１５）  前記第２のスケールは色に基づく、実施態様１４に記載のディスプレイ。
【００４０】
（１６）  前記第２のスケールは二次的機構に基づく、実施態様１４に記載のディスプレイ。
（１７）  対象の信号を測定するための装置であって、
前記装置内で少なくとも１つの信号を監視するための信号モニタと、
ディスプレイ上に信号を表示するためのディスプレイであって、前記信号は前記監視された信号の少なくともサブセットである、ディスプレイと、
第１の電圧表示レベルを制御して、少なくとも１つの表示された測定信号の表示を提供することであって、前記少なくとも１つの表示された測定信号は、前記測定信号の詳細を検査するために設計された高さを備える、ことと、
前記第１の電圧表示レベルに依存せずに、表示された前記信号全体に対する第２のスケールを提供することと、を含む、装置。
（１８）  前記第１の電圧表示レベルの変更は前記第２のスケールに影響を与えない、実施態様１７に記載の装置。
（１９）  前記第２のスケールは、信号電圧レベルの絶対的な解釈を可能にする、実施態様１７に記載の装置。
（２０）  前記第２のスケールは色に基づく、実施態様１９に記載の装置。
【図１】
2019130311.tif 000003
【図２】
2019130311.tif 000004
【図３】
2019130311.tif 000005
【図４】
2019130311.tif 000006
【外国語明細書】
2019130311000001.pdf